(57)【特許請求の範囲】
【請求項１】
ドア（Ｄ）に設けられるロック機構（１２）の施錠状態および解錠状態を機械的な操作に応じて切換えることを可能とするメカニカルキー（１１）と、前記ロック機構（１２）の施錠状態および解錠状態を切換える無線信号の発信が可能な発信ユニット（２９）がケース（３０）に内臓されて成る携帯器（２０）とで構成されるキーユニットにおいて、
前記ケース（３０）が開閉可能に構成され、前記メカニカルキー（１１）が、前記ケース（３０）の閉鎖状態では該ケース（３０）で全て覆われて外観からは見えないようにして、前記ケース（３０）内に挿脱可能に収納され、
前記携帯器（２０）には、前記ケース（３０）内への前記メカニカルキー（１１）の収納状態を検知するスイッチ（４７）が設けられ、
前記ケース（３０）には、複数種類の前記メカニカルキー（１１）を前記スイッチ（４７）に検知される位置に弾発的に保持する弾発保持手段（４１）が設けられ、
前記スイッチ（４７）は、前記メカニカルキー（１１）の前記ケース（３０）内への収納状態を検知している状態でのみ前記発信ユニット（２９）の作動を許容するものであることを特徴とするキーユニット。
【発明の詳細な説明】
【技術分野】
【０００１】
本発明は、ドアに設けられるロック機構の施錠状態および解錠状態を機械的な操作に応じて切換えることを可能とするメカニカルキーと、前記ロック機構の施錠状態および解錠状態を切換えるための無線信号の発信が可能な発信ユニットがケースに内臓されて成る携帯器とで構成されるキーユニットに関する。
【背景技術】
【０００２】
メカニカルキーによる機械的な操作で施錠および解錠を切換可能とした住宅用ドアのロック機構に、携帯器による遠隔操作でも施錠および解錠を切換可能とするための電動駆動装置を後付けでドアに取付けるようにしたものが、特許文献１で知られており、このようなものでは、電動駆動装置の取付け前に使用していたメカニカルキーは基本的には不要となるのであるが、電動駆動装置の不調等に備えて緊急用にメカニカルキーを携帯しておいた方が安全である。そのため携帯器およびメカニカルキーをともに携帯するにあたって、別々にバッグやポケット内に収納するようにすると、嵩張ってしまい不便である。そこで特許文献２で開示されるように、携帯器およびメカニカルキーを１つのケース内に収納するようにしたものもある。
【先行技術文献】
【特許文献】
【０００３】
【特許文献１】実開平７−２５１７５号公報
【特許文献２】実用新案登録第３０９４６４８号公報
【発明の概要】
【発明が解決しようとする課題】
【０００４】
上記特許文献２で開示されるように、携帯器およびメカニカルキーを１つのケース内に収納すると、便利ではあるものの大型化してしまう。
【０００５】
本発明は、かかる事情に鑑みてなされたものであり、携帯器およびメカニカルキーをコンパクトに纏めて携帯性を高めることができるようにしたキーユニットを提供することを目的とする。
【課題を解決するための手段】
【０００６】
上記目的を達成するために、本発明は、ドアに設けられるロック機構の施錠状態および解錠状態を機械的な操作に応じて切換えることを可能とするメカニカルキーと、前記ロック機構の施錠状態および解錠状態を切換えるための無線信号の発信が可能な発信ユニットがケースに内臓されて成る携帯器とで構成されるキーユニットにおいて、前記ケースが開閉可能に構成され、前記メカニカルキーが、前記ケースの閉鎖状態では該ケースで全て覆われて外観からは見えないようにして、前記ケース内に挿脱可能に収納され、前記携帯器には、前記ケース内への前記メカニカルキーの収納状態を検知するスイッチが設けられ、前記ケースには、複数種類の前記メカニカルキーを前記スイッチに検知される位置に弾発的に保持する弾発保持手段が設けられ、前記スイッチは、前記メカニカルキーの前記ケース内への収納状態を検知している状態でのみ前記発信ユニットの作動を許容するものであることを第１の特徴とする。
【発明の効果】
【０００７】
本発明の第１の特徴によれば、携帯器のケースが開閉可能に構成され、そのケース内に、メカニカルキーの全てが挿脱可能に収納されて、ケースの閉鎖状態では外観からは見えないようにされるので、ユーザーにメカニカルキーを携帯しているということを意識させることなく、携帯器およびメカニカルキーをコンパクトに纏めて携帯性を高めることができ、携帯器によるキーレスエントリーに不具合が生じても、ケースを開くことで通常時には携帯を意識していないが実際には携帯しているメカニカルキーを容易に取り出して、メカニカルキーによる機械的な操作でロック機構の施錠状態および解錠状態を切換えることができ、非常時に困ることがない。
【０００８】
また、メカニカルキーの収納状態を検知するスイッチが、ケース内へのメカニカルキーの収納状態を検知していない状態では発信ユニットの作動が不能となるので、ケース内へのメカニカルキーの収納を忘れることがなく、緊急時に必ず対処することができる。
【０００９】
さらに、ケースに設けられる弾発保持手段で複数種類のメカニカルキーが弾発的に保持されるので、多様な種類のメカニカルキーを同一のケース内にがたつきが生じるのを回避しつつ収納することができる。
【図面の簡単な説明】
【００１０】
【図１】住宅用のドアの一部を示す斜視図である。
【図２】電動駆動装置の構成を示すブロック図である。
【図３】キーユニットの正面図である。
【図４】図３の４−４線断面図である。
【図５】図３の５−５線断面図である。
【図６】図４の６−６線断面図である。
【図７】図３の７矢視図である。
【図８】内挿部材の正面図である。
【図９】一対の弾発挟み片間にメカニカルキーのキープレートを押し込んで挿入する状態を図６の９−９線に沿って示す断面図である。
【発明を実施するための形態】
【００１１】
以下、本発明の実施の形態について添付の図面を参照しながら説明すると、先ず図１において、住宅用のドアＤには、メカニカルキー１１による外部からの機械的な操作で施錠および解錠を切換可能としたロック機構１２が設けられており、このロック機構１２は、前記メカニカルキー１１による操作を可能としたシリンダ錠１３と、該シリンダ錠１３が備えるロータ（図示せず）の回動に応じて作動するデッドボルト１４とを備え、前記デッドボルト１４は、前記ドアＤの端縁に取付けられた化粧カバー１５から前記ロータの回動に応じて出没する。
【００１２】
また前記ドアＤの内面の前記シリンダ錠１３に対応する部分には、電動駆動装置１６が、たとえば後付けで取付けられており、この電動駆動装置１６は、前記シリンダ錠１３の前記ロータに連動、連結され、携帯器２０から送信される無線信号によって前記ロータを回動せしめて前記ロック機構１２の施錠状態および解錠状態を切換可能である。また前記電動駆動装置１６のケーシング１７からは前記ロータに連結されるサムターン操作部１８が突出される。
【００１３】
図２において、前記電動駆動装置１６は、前記携帯器２０からの無線信号を受信するアンテナ２２を有する受信部２３と、前記ロック機構１２の施錠状態および解錠状態を切換える動力を発揮する電動モータ２４ならびに前記デッドボルト１４もしくは該デッドボルト１４に連動して作動する部材の位置を検出する位置検出スイッチ２５を含むアクチュエータ２６と、前記受信部２３および前記位置検出スイッチ２５からの信号を受けて前記電動モータ２４の作動を制御するＥＣＵ２７と、前記ＥＣＵ２７および前記電動モータ２４に電力を供給するバッテリ２８とが、前記ケーシング１７内に収納されて成る。
【００１４】
図３〜図６を併せて参照して、前記メカニカルキー１１および前記携帯器２０は、協働してキーユニット２１を構成するものであり、携帯器２０は、前記ロック機構１２の施錠状態および解錠状態を切換えるための無線信号の発信が可能な発信ユニット２９が開閉可能なケース３０に内臓されて成り、前記メカニカルキー１１は、閉鎖状態にある前記ケース３０内に前記メカニカルキー１１がその全てを前記ケース３０で覆われるようにして挿脱可能に収納される。
【００１５】
前記ケース３０は、相互に対向する側を開口して皿状に形成される合成樹脂製の第１および第２ケース部材３１，３２が分離可能に結合されて成るものであり、第１ケース部材３１の開口端部には、第１ケース部材３１の外周面から内方にずれた位置から第２ケース部材３２側に突出するとともに全周にわたって無端状に連なる筒状の突部３１ａが一体に設けられ、第２ケース部材３２の開口端部の内周側には、前記突部３１ａを嵌合せしめる嵌合凹部３３が形成される。しかも周方向複数箇所で前記突部３１ａの外周面から突出する係合突部３１ｂ，３１ｂ…を弾発係合させる係止凹部３４，３４…が、前記嵌合凹部３３の内周面の周方向複数箇所に形成される。
【００１６】
而して係合突部３１ｂ，３１ｂ…を係止凹部３４，３４…に弾発係合させるようにして前記突部３１ａを前記嵌合凹部３３に嵌合することで第１および第２ケース部材３１，３２が相互に結合されて前記ケース３０が構成されることになる。しかも前記ケース３０の周方向に沿う１箇所または複数箇所で、第１および第２ケース部材３１，３２の開口端縁の少なくとも一方、この実施の形態では第１および第２ケース部材３１，３２の開口端縁の相互に対応する部分に、図７で示すように、コイン等を差し込むための差し込み凹部４９，５０が外方に開口するようにして形成されており、その差し込み凹部４９，５０に差し込んだコイン等を捩じる操作を行うことで前記係合突部３１ｂ，３１ｂ…の前記係止凹部３４，３４…への弾発係合を解除して第１および第２ケース部材３１，３２を相互に分離させることで前記ケース３０を開放することが可能である。
【００１７】
第１および第２ケース部材３１，３２が相互に結合されて成る前記ケース３０の外周は、相互に平行な一対の平行側壁部３０ａ，３０ａと、それらの平行側壁部３０ａ，３０ａの一端部間を結んで外方に凸に湾曲した第１端壁部３０ｂと、前記両平行側壁部３０ａ，３０ａから離反するにつれて相互に近接するように傾斜して前記平行側壁部３０ａ，３０ａの他端部に一端部が連なる一対の傾斜側壁部３０ｃ，３０ｃと、それらの傾斜側壁部３０ｃ，３０ｃの他端部間を直線状に結ぶ第２端壁部３０ｄとで構成される。
【００１８】
図８を併せて参照して、第２ケース部材３２には、合成樹脂製の内挿部材３６が取付けられるものであり、この内挿部材３６は、前記両傾斜側壁部３０ｃ，３０ｃに対応する部分で第２ケース部材３２の側壁内面にそれぞれ対向するようにして第２ケース部材３２に挿入される一対の支持部３６ａ，３６ａと、それらの支持部３６ａ，３６ａの一端部間を結ぶ連結部３６ｂと、前記連結部３６ｂに一端部が連設されて両支持部３６ａ，３６ａ間の中央部で直線状に延びるキープレート受け部３６ｃとを一体に有し、前記支持部３６ａ，３６ａの他端部にそれぞれ設けられる取付け孔３７，３７に、第２ケース部材３２に一体に設けられる取付けピン３８，３８がそれぞれ嵌入することで内挿部材３６が第２ケース部材３２に取付けられる。
【００１９】
ところで前記メカニカルキー１１は、前記シリンダ錠１３に差し込み可能なキープレート１１ａの一端部にキーヘッド１１ｂが設けられて成るものであり、前記内挿部材３６の前記両支持部３６ａ，３６ａ間には、前記キープレート１１ａを収容するキープレート収容部３９が前記キープレート受け部３６ｃ上に前記キープレート１１ａを載せるようにして形成され、前記キーヘッド１１ｂを収容するキーヘッド収容部４０が、前記内挿部材３６の前記支持部３６ａ，３６ａおよび前記連結部３６ｂと、前記ケース３０の両平行側壁部３０ａ，３０ａおよび第１端壁部３０ｂとの間に形成される。
【００２０】
而して前記キープレート収容部３９の幅および長さは、図６の鎖線で示すように、複数種類のメカニカルキー１１のキープレート１１ａを収容可能な値に設定され、前記キーヘッド収容部４０の大きさも、複数種類のメカニカルキー１１のキーヘッド１１ｂを収容可能な値に設定される。
【００２１】
前記ケース３０には、複数種類の前記メカニカルキー１１を、弾発的に保持する弾発保持手段４１が設けられており、この実施の形態で前記弾発保持手段４１は、前記内挿部材３６に一体に設けられる一対の弾発挟み片３６ｄ，３６ｄから成る。
【００２２】
前記弾発挟み片３６ｄ，３６ｄの基部は、前記内挿部材３６における両支持部３６ａ，３６ａの他端部すなわち前記取付け孔３７，３７が設けられる側の端部に一体に連設され、前記内挿部材３６の前記連結部３６ｂ側で相互に近接するように前記両支持部３６ａ，３６ａの他端部から前記弾発挟み片３６ｄ，３６ｄが延出され、それらの弾発挟み片３６ｄ，３６ｄは、前記内挿部材３６のキープレート受け部３６ｃに摺接しつつ相互に近接する側の弾発力を発揮可能である。而して前記メカニカルキー１１のキープレート１１ａが前記両弾発挟み片３６ｄ，３６ｄの先端部間に弾発的に挟まれることで、前記メカニカルキー１１が弾発的に保持されることになる。
【００２３】
しかも前記両弾発挟み片３６ｄ，３６ｄの第１ケース部材３１側で相互に対向する側の端縁には、第１ケース部材３１側に向かうにつれて相互に離反するように傾斜した傾斜ガイド面４２，４２がそれぞれ形成されており、図９（ａ）で示すように、ケース３０を開放した状態で第２ケース部材３２の開口端側からメカニカルキー１１のキープレート１１ａを両弾発挟み片３６ｄ，３６ｄ間に押し込むと、前記傾斜ガイド面４２，４２でガイドされることによって、図９（ｂ）で示すように、前記キープレート１１ａが両弾発挟み片３６ｄ，３６ｄ間に円滑に挿入されることになり、メカニカルキー１１のケース３０内への挿入が容易となる。
【００２４】
前記弾発挟み片３６ｄ，３６ｄを、型成形で前記内挿部材３６と一体に形成する際に型抜きを可能とするために、前記キープレート受け部３６ｃの前記連結部３６ｂ寄りの部分の両側には逃げ凹部４３，４３が形成され、前記連結部３６ｂは、前記弾発挟み片３６ｄ，３６ｄの先端部を摺接させることを可能として前記キープレート受け部３６ｃに面一に連なるようにして前記支持部３６ａ，３６ａよりも薄肉に形成される。
【００２５】
ところで前記ケース３０における両平行側壁部３０ａ，３０ａの一方に寄った部分で第１端壁部３０ｂからは、ストラップ等を通すためのホルダリング４４が突出され、そのホルダリング４４は、第１および第２ケース部材３１，３２にそれぞれ一体に形成された耳部３１ｃ，３２ａが相互に重合することで形成される。而して車両用キーと共通のキーホルダを前記ホルダリング４４に通すと、車両用キーを用いて車両を運転中に、前記メカニカルキー１１は、キーヘッド１１ｂがキープレート１１ａの上方位置となる姿勢で前記前記ケース３０内に収納されることになり、ケース３０内でのメカニカルキー１１の位置がずれ難い。
【００２６】
前記携帯器２０の発信ユニット２９は、ボタン電池を内臓しつつ、前記キープレート収容部３９に対応する部分で前記ケース３０における第１ケース部材３１の内面側に固定されるものであり、この発信ユニット２９は、一部を第１ケース部材３１の表面から突出させた施錠ボタン４５を押し込み操作することで前記ロック機構１２を施錠状態とする側に前記電動駆動装置１６のアクチュエータ２６を作動せしめる信号を発信可能であり、また一部を第１ケース部材３１の表面から突出させた解錠ボタン４６を押し込み操作することで前記ロック機構１２を解錠状態とする側に前記電動駆動装置１６のアクチュエータ２６を作動せしめる信号を発信可能である。
【００２７】
しかも前記発信ユニット２９は、前記ケース３０内への前記メカニカルキー１１の収納状態を検知するスイッチ４７が前記メカニカルキー１１の収納状態を検知している状態でのみ施錠および解錠信号を発信することが許容されるものであり、たとえばリミットスイッチである前記スイッチ４７は、前記キープレート収容部３９に収容された状態にある前記キープレート１１ａに検出子４７ａを当接させるようにして前記携帯器２０の前記発信ユニット２９に取付けられる。なおリミットスイッチに代えて非接触のリードスイッチを用いることも可能である。
【００２８】
次にこの実施の形態の作用について説明すると、ドアＤに設けられるロック機構１２の施錠状態および解錠状態を機械的な操作に応じて切換えることを可能とするメカニカルキー１１と、前記ロック機構１２の施錠状態および解錠状態を切換えるための無線信号の発信が可能な発信ユニット２９がケース３０に内臓されて成る携帯器２０とでキーユニット２１が構成され、携帯器２０のケース３０が開閉可能に構成され、メカニカルキー１１が、前記ケース３０の閉鎖状態では該ケース３０で全て覆われて外観からは見えないようにして前記ケース３０内に挿脱可能に収納されるので、ドアＤの内面に電動駆動装置１６を後付けで取付けることによって通常時は使用することのないメカニカルキー１１の全体を携帯器２０のケース３０内に収納してキーユニット２１を構成することにより、ユーザーにメカニカルキー１１を携帯しているということを意識させることなく携帯器２０およびメカニカルキー１１をコンパクトに纏めて携帯性を高めることができる。また前記携帯器２０によるキーレスエントリーに不具合が生じても、ケース３０を開くことで通常時には携帯を意識していないが実際には携帯しているメカニカルキー１１を容易に取り出して、メカニカルキー１１による機械的な操作でロック機構１２の施錠状態および解錠状態を切換えることができ、非常時に困ることがない。
【００２９】
またケース３０内への前記メカニカルキー１１の収納状態を検知するスイッチ４７が、前記メカニカルキー１１の収納状態を検知している状態でのみ前記発信ユニット２９の作動を許容するようにして前記携帯器２０に設けられるので、スイッチ４７がケース３０内へのメカニカルキー１１の収納状態を検知していない状態では発信ユニット２９の作動が不能となることにより、ケース３０内へのメカニカルキー１１の収納を忘れることがなく、緊急時に必ず対処することができる。
【００３０】
さらに複数種類の前記メカニカルキー１１を、弾発的に保持する弾発保持手段４１が前記ケース３０に設けられるので、多様な種類のメカニカルキー１１を同一のケース３０内にがたつきが生じるのを回避しつつ収納することができる。
【００３１】
以上、本発明の実施の形態について説明したが、本発明は上記実施の形態に限定されるものではなく、特許請求の範囲に記載された本発明を逸脱することなく種々の設計変更を行うことが可能である。
【００３２】
たとえば上記実施の形態では、携帯器２０の発信ユニット２９を、施錠ボタン４５および解錠ボタン４６の押し込み操作によって施錠および解錠信号を無線送信するものとしたが、正規のユーザの携帯によってロック機構１２の施錠状態および解錠状態を切換える無線信号を常時発信するタイプのものであってもよく、またロック機構１２側からのリクエスト信号に応じてロック機構１２の施錠状態および解錠状態を切換える無線信号を発信する双方向タイプのものであってもよい。
【００３３】
また上記実施の形態では電動駆動装置１６が後付けで取付けられる住宅用のドアＤに関連して説明したが、本発明は、携帯器２０による施錠および解錠を可能とするとともに、メカニカルキーによる機械的な施錠および解錠操作を可能としたドアのロック機構に関連して広く実施することができ、たとえば自動車のドアのロック機構に関連して本発明を実施することもできる。
【符号の説明】
【００３４】
１１・・・メカニカルキー
１２・・・ロック機構
２０・・・携帯器
２１・・・キーユニット
２９・・・発信ユニット
３０・・・ケース
４１・・・弾発保持手段
４７・・・スイッチ
Ｄ・・・ドア
【図１】
0005881105.tif 000002
【図２】
0005881105.tif 000003
【図３】
0005881105.tif 000004
【図４】
0005881105.tif 000005
【図５】
0005881105.tif 000006
【図６】
0005881105.tif 000007
【図７】
0005881105.tif 000008
【図８】
0005881105.tif 000009
【図９】
0005881105.tif 000010